(57)【特許請求の範囲】
【請求項１】
（Ａ）Ｎ−長鎖アシル酸性アミノ酸及び／又はその塩、
（Ｂ）モノ脂肪酸グリセリル、モノ脂肪酸プロピレングリコール、モノ脂肪酸ブチレングリコール、モノ脂肪酸ジエチレングリコール、モノ脂肪酸Ｎ−メチルエタノールアミド、ラウリルグリコールヒドロキシプロピルエーテル、ポリオキシプロピレン(1)ヤシ油脂肪酸モノイソプロパノールアミドから選ばれ、有機性値・無機性値が下記関係式１を満たす１種又は２種以上の両親媒性物質、
（無機性値）≦−５*(有機性値)＋２５００    ［１］
（Ｃ）無機塩、
（Ｄ）水、
の４成分を必須成分として含有し、（Ａ）成分と（Ｂ）成分の重量比が９０：１０〜３０：７０であって、他の増粘剤によらず粘度が２００ｍＰａ・ｓ以上であることを特徴とする増粘組成物。
【請求項２】
（Ａ）Ｎ−長鎖アシル酸性アミノ酸及び／又はその塩、
（Ｂ）モノＣ8-14脂肪酸グリセリル、モノＣ8-14脂肪酸プロピレングリコール、モノＣ8-14脂肪酸ブチレングリコール、モノＣ8-14脂肪酸ジエチレングリコール、モノＣ8-14脂肪酸Ｎ−メチルエタノールアミド、ラウリルグリコールヒドロキシプロピルエーテル、ポリオキシプロピレン(1)ヤシ油脂肪酸モノイソプロパノールアミドから選ばれる１種又は２種以上の両親媒性物質、
（Ｃ）無機塩、
（Ｄ）水、
の４成分を必須成分として含有し、（Ａ）成分と（Ｂ）成分の重量比が９０：１０〜３０：７０であって、他の増粘剤によらず粘度が２００ｍＰａ・ｓ以上であることを特徴とする増粘組成物。
【請求項３】
（Ａ）成分と（Ｃ）成分の重量比が９９．５：０．５〜５０：５０かつ（Ａ）成分と（Ｂ）成分と（Ｃ）成分の合計重量と（Ｄ）成分の重量比が２：９８〜７０：３０であることを特徴とする請求項１又は２に記載の増粘組成物。
【請求項４】
該（Ａ）成分のアミノ酸がグルタミン酸であることを特徴とする請求項１〜３の何れか１項に記載の増粘組成物。
【請求項５】
該（Ａ）成分のアシル基が、カプリル酸、カプリン酸、ラウリン酸、ミリスチン酸、ステアリン酸、パルミチン酸、オレイン酸、リノール酸、ベヘン酸、ヤシ油脂肪酸、パーム脂肪酸及び硬化牛脂脂肪酸からなる群から選ばれる１種又は２種以上を由来とするアシル基であることを特徴とする請求項１〜４の何れか１項に記載の増粘組成物。
【請求項６】
該（Ｂ）成分が、炭素数８以上１８以下のモノ脂肪酸グリセリルであることを特徴とする請求項１〜５の何れか１項に記載の増粘組成物。
【請求項７】
該（Ｃ）成分が、アルカリ土類金属無機塩であることを特徴とする請求項１〜６の何れか１項に記載の増粘組成物。
【請求項８】
（Ｅ）多価アルコールを含有することを特徴とする請求項１〜７の何れか１項に記載の増粘組成物。
【請求項９】
（Ｆ）キレート剤を含有することを特徴とする請求項１〜８の何れか１項に記載の増粘組成物。
【請求項１０】
請求項１〜９の何れか１項に記載の増粘組成物を含有することを特徴とする洗浄料。
【請求項１１】
請求項１〜９の何れか１項に記載の増粘組成物を含有することを特徴とする化粧料。
【発明の詳細な説明】
【技術分野】  本発明は、Ｎ−長鎖アシル酸性アミノ酸及び／又はその塩、両親媒性物質、無機塩、水、の４成分を含有する、程よい増粘性能と優れた使用感を併せ持つ増粘組成物、並びにそれを含む洗浄料及び化粧料に関する。
【背景技術】  Ｎ−長鎖アシル酸性アミノ酸及び／又はその塩は、一般に使用されているアルキル硫酸塩やアルキルスルホン酸塩等のアニオン界面活性剤を主成分とする皮膚用または毛髪用洗浄料に比べ、刺激性が少ない素材として有用であることが古くより知られていた。
しかし、刺激性緩和の目的で、アルキル硫酸塩やアルキルスルホン酸塩、ポリオキシエチレンアルキルエーテル硫酸塩等を主剤とする皮膚及び毛髪洗浄料にＮ−長鎖アシルグルタミン酸及び／又はその塩を配合すると、粘度が低下してしまうという問題があった。
この問題を解消するべく、Ｎ−長鎖アシル酸性アミノ酸含有洗浄剤を増粘させる取り組みとして、これまでポリオキシエチレン鎖を有するエステル系又はエーテル系の高分子増粘剤を配合する例（特開平６−１５８０８９号公報）や、多糖類増粘剤を配合する例（特開平６−２６４０９０号公報）や、セルロース系天然高分子誘導体を配合する例（特開２００３−５５６９０号公報）があるが、粘度を得るために十分な量の高分子増粘剤を配合すると、泡立ちが悪くなったり、すすぎ時に高分子特有のぬめり感を有したり等の新たな使用感の問題が生じてしまった。
また、Ｎ−長鎖アシル酸性アミノ酸含有洗浄剤組成物を増粘させる取り組みとして、Ｎ−長鎖アシル酸性アミノ酸塩水溶液にコロイド性ケイ酸塩を配合する例も知られているが、液体洗浄料としての十分な粘度は得られないという問題があった（特開平７−１１２８８号公報）。
一方、Ｎ−長鎖アシル酸性アミノ酸及び／又はその塩を用いたゲル状組成物として、チキソトロピー性を有するゲル状組成物（特開平６−０５７２９０号公報）や、水性増粘ゲル状組成物及び液状水中油型乳化組成物（特開平９−３０１８４６号公報）が報告されているが、これらは、Ｎ−長鎖アシル酸性アミノ酸及び／又はその塩を用いた美容液やクリーム等の皮膚外用剤を調製する際の基材としての利用方法であったが、これらの水性増粘ゲル状組成物及び液状水中油型乳化組成物は、起泡力や洗浄力を有さないため、皮膚及び毛髪用洗浄料組成物としての十分な機能は得られていなかった。
そこで、Ｎ−長鎖アシル酸性アミノ酸及び／又はその塩の起泡性や使用感を損なわずに程よい増粘性能をもつＮ−長鎖アシル酸性アミノ酸及び／又はその塩を含有した増粘組成物が切に望まれていた。
【発明の開示】
本発明者らは上記の課題を解決すべく鋭意研究を行った結果、Ｎ−長鎖アシル酸性アミノ酸及び／又はその塩に両親媒性物質、無機塩、水を必須成分とすることにより、程よい増粘性能と優れた使用感を併せ持つ増粘組成物が得られること、また、この増粘組成物を用いることによって、Ｎ−長鎖アシル酸性アミノ酸及び／又はその塩を含有しながら、増粘性能と使用感をともに満足する洗浄剤、化粧料が得られることを見出した。
すなわち、本発明は、以下の態様を含む。
［１］  （Ａ）Ｎ−長鎖アシル酸性アミノ酸及び／又はその塩、（Ｂ）両親媒性物質、（Ｃ）無機塩、（Ｄ）水、の４成分を必須成分として含有し、粘度が２００ｍＰａ・ｓ以上であることを特徴とする増粘組成物。
［２］  該（Ｂ）成分の有機性値・無機性値が下記関係式１で表される両親媒性物質であることを特徴とする［１］に記載の増粘組成物。
（無機性値）≦−５＊（有機性値）＋２５００    ［１］
［３］  （Ａ）成分と（Ｂ）成分の重量比が９０：１０〜３０：７０かつ（Ａ）成分と（Ｃ）成分の重量比が９９．５：０．５〜５０：５０かつ（Ａ）成分と（Ｂ）成分と（Ｃ）成分の合計重量と（Ｄ）成分との重量比が２：９８〜７０：３０ことを特徴とする［１］又は［２］に記載の増粘組成物。
［４］  該（Ａ）成分のアミノ酸がグルタミン酸であることを特徴とする［１］〜［３］の何れか１項に記載の増粘組成物。
［５］  該（Ａ）成分のアシル基が、カプリル酸、カプリン酸、ラウリン酸、ミリスチン酸、ステアリン酸、パルミチン酸、オレイン酸、リノール酸、ベヘン酸、ヤシ油脂肪酸、パーム脂肪酸及び硬化牛脂脂肪酸からなる群から選ばれる１種又は２種以上を由来とするアシル基であることを特徴とする［１］〜［４］の何れか１項に記載の増粘組成物。
［６］  該（Ｂ）成分が、モノ脂肪酸グリセリル、モノ脂肪酸プロピレングリコール、モノ脂肪酸ブチレングリコール、モノ脂肪酸ジエチレングリコール、モノ脂肪酸Ｎ−メチルエタノールアミド、ラウリルグリコールヒドロキシプロピルエーテル、ポリオキシプロピレン（１）ヤシ油脂肪酸モノイソプロパノールアミドから選ばれる１種又は２種以上であることを特徴とする［１］〜「５］の何れか１項に記載の増粘組成物。
［７］  該（Ｂ）成分が、炭素数８以上１８以下のモノ脂肪酸グリセリルであることを特徴とする［１］〜［６］の何れか１項に記載の増粘組成物。
［８］  該（Ｃ）成分が、アルカリ土類金属無機塩であることを特徴とする［１］〜［７］の何れか１項に記載の増粘組成物。
［９］  （Ｅ）多価アルコールを含有することを特徴とする［１］〜［８］の何れか１項に記載の増粘組成物。
［１０］  （Ｆ）キレート剤を含有することを特徴とする［１］〜［９］の何れか１項に記載の増粘組成物。
［１１］  ［１］〜［１０］の何れか１項に記載の増粘組成物を含有することを特徴とする洗浄料。
［１２］  ［１］〜［１０］の何れか１項に記載の増粘組成物を含有することを特徴とする化粧料。
発明の詳細な説明
本発明において使用される成分（Ａ）であるＮ−長鎖アシル酸性アミノ酸及び／又はその塩は、公知の方法により得られるものでよい。例えば、酸性アミノ酸と脂肪酸ハライドとのショッテンバウマン反応が広く知られている方法である。
成分（Ａ）の酸性アミノ酸としては、グルタミン酸、アスパラギン酸等が使用できる。これらのアミノ酸はＬ体、Ｄ体又はＤＬ体の何れでも良く、また、これらから選ばれる２種以上の混合体であっても良い。安定性及びアシル化後の素材の使用感が良いという観点で、グルタミン酸が好ましい。
成分（Ａ）のアシル基としては、炭素原子数８〜２２の飽和又は不飽和脂肪酸より誘導される、直鎖又は分岐鎖のものを使用できる。例えば、脂肪酸としては、カプリル酸、カプリン酸、ラウリン酸、ミリスチン酸、ステアリン酸、イソステアリン酸、パルミチン酸、オレイン酸、リノール酸、ベヘン酸、ヤシ油脂肪酸、パーム脂肪酸、硬化牛脂脂肪酸、等が挙げられる。これらのうち一種類を使用しても良いし、上記群から選ばれる２種以上を混合して使用しても構わない。特に、泡立ち、泡質が良いという観点から、ヤシ油脂肪酸、ラウリン酸、ミリスチン酸が好ましい。
成分（Ａ）の塩としては特に限定されず、例えば、ナトリウム、カリウム等のアルカリ金属、カルシウム、マグネシウム等のアルカリ土類金属、アルミニウム、亜鉛などの無機塩、あるいはアンモニア、モノエタノールアミン、ジエタノールアミン、トリエタノールアミン等の有機アミンや、アルギニン、リジン等の塩基性アミノ酸等の有機塩が上げられる。これらのうち一種類を使用しても良いし、上記群から選ばれる２種以上を混合して使用しても構わない。入手の容易性、取り扱い性等の観点から、アルカリ金属塩又は有機アミン塩、塩基性アミノ酸が好ましく、ナトリウム、カリウム、トリエタノールアミン、アルギニンが特に好ましい。
本発明において使用される成分（Ｂ）である両親媒性物質とは、界面活性を有し、親水性と疎水性のバランスから、成分（Ａ）Ｎ−長鎖アシル酸性アミノ酸塩と共に会合体を形成し、増粘効果を有するものであれば特に構造に制限はない。
親水性と疎水性のバランスとは、その有機性値と無機性値の関係が、下記関係式１の範囲であるものが選ばれる。
（無機性値）≦−５＊（有機性値）＋２５００          ［１］
無機性値が−５＊（有機性値）＋２５００よりも大きくなると、成分（Ａ）Ｎ−長鎖アシル酸性アミノ酸塩と共に会合体を形成するバランスが崩れ、増粘効果が低くなる。なお、無機性値、有機性値は、有機概念図−基礎と応用（１９８４）（甲田善生ら、三共出版）や、有機概念図による乳化処方設計（１９９７）（日本エマルジョン編）から計算される。無機性値及び有機性値は共に０又は正の数である。
具体的には、モノ脂肪酸グリセリル、ジ脂肪酸グリセリル、トリ脂肪酸グリセリル、モノ脂肪酸プロピレングリコール、モノ脂肪酸ブチレングリコール、モノ脂肪酸ジエチレングリコール、モノ脂肪酸Ｎ−メチルエタノールアミド、ラウリルグリコールヒドロキシプロピルエーテル、ポリオキシプロピレン（１）ヤシ油脂肪酸モノイソプロパノールアミド等が挙げられる。これらのうち一種類を使用しても良いし、上記群から選ばれる２種以上を混合して使用しても構わない。その中で、特に低分子であり使用感に優れるという観点から、モノ脂肪酸グリセリル、モノ脂肪酸プロピレングリコール、モノ脂肪酸ブチレングリコール、モノ脂肪酸ジエチレングリコール、モノ脂肪酸Ｎ−メチルエタノールアミド、ラウリルグリコールヒドロキシプロピルエーテル、ポリオキシプロピレン（１）ヤシ油脂肪酸モノイソプロパノールアミドが好ましい。
モノ脂肪酸グリセリルとしては、具体的には、モノカプリル酸グリセリル、モノカプリン酸グリセリル、モノラウリン酸グリセリル、モノミリスチン酸グリセリル、モノパルミチン酸グリセリル、モノステアリン酸グリセリル、モノイソステアリン酸グリセリル等が挙げられる。これらのうち一種類を使用しても良いし、上記群から選ばれる２種以上を混合して使用しても構わない。このうち、成分（Ａ）Ｎ−長鎖アシル酸性アミノ酸及び／又はその塩及び成分（Ｃ）塩と会合体を形成しやすい点から、モノカプリル酸グリセリル、モノカプリン酸グリセリル、モノラウリン酸グリセリル、モノミリスチン酸グリセリルが好ましい。脂肪酸は、炭素原子数８〜１８の飽和又は不飽和脂肪酸を使用することができ、本発明の効果を阻害しない程度に置換基を含んでいても構わない。炭素数８以下であると増粘効果が低く、１８以上では溶解性が低く析出しやすい。安定かつ持続的な増粘性能が保持される観点から８〜１４が好ましく、泡立ち性能が保持できる観点から１０〜１２がさらに好ましい。
モノ脂肪酸プロピレングリコールとしては、具体的には、モノカプリル酸プロピレングリコール、モノカプリン酸プロピレングリコール、モノラウリン酸プロピレングリコール、モノミリスチン酸プロピレングリコール、モノパルミチン酸プロピレングリコール、モノステアリン酸プロピレングリコール、モノイソステアリン酸プロピレングリコール等が挙げられる。これらのうち一種類を使用しても良いし、上記群から選ばれる２種以上を混合して使用しても構わない。このうち、成分（Ａ）Ｎ−長鎖アシル酸性アミノ酸及び／又はその塩及び成分（Ｃ）塩と会合体を形成しやすい点から、モノカプリル酸プロピレングリコール、モノカプリン酸プロピレングリコール、モノラウリン酸プロピレングリコール、モノミリスチン酸プロピレングリコールが好ましい。脂肪酸は、炭素原子数８〜１８の飽和又は不飽和脂肪酸を使用することができ、本発明の効果を阻害しない程度に置換基を含んでいても構わない。炭素数８以下であると増粘効果が低く、１８以上では溶解性が低く析出しやすい。安定かつ持続的な増粘性能が保持される観点から８〜１４が好ましく、泡立ち性能が保持できる観点から１０〜１２がさらに好ましい。
モノ脂肪酸ブチレングリコールとしては、具体的には、モノカプリル酸ブチレングリコール、モノカプリン酸ブチレングリコール、モノラウリン酸ブチレングリコール、モノミリスチン酸ブチレングリコール、モノパルミチン酸ブチレングリコール、モノステアリン酸ブチレングリコール、モノイソステアリン酸ブチレングリコール等が挙げられる。これらのうち一種類を使用しても良いし、上記群から選ばれる２種以上を混合して使用しても構わない。このうち、成分（Ａ）Ｎ−長鎖アシル酸性アミノ酸及び／又はその塩及び成分（Ｃ）塩と会合体を形成しやすい点から、モノカプリル酸ブチレングリコール、モノカプリン酸ブチレングリコール、モノラウリン酸ブチレングリコール、モノミリスチン酸ブチレングリコールが好ましい。脂肪酸は、炭素原子数８〜１８の飽和又は不飽和脂肪酸を使用することができ、本発明の効果を阻害しない程度に置換基を含んでいても構わない。炭素数８以下であると増粘効果が低く、１８以上では溶解性が低く析出しやすい。安定かつ持続的な増粘性能が保持される観点から８〜１４が好ましく、泡立ち性能が保持できる観点から１０〜１２がさらに好ましい。
モノ脂肪酸ジエチレングリコールとしては、具体的には、モノカプリル酸ジエチレングリコール、モノカプリン酸ジエチレングリコール、モノラウリン酸ジエチレングリコール、モノミリスチン酸ジエチレングリコール、モノパルミチン酸ジエチレングリコール、モノステアリン酸ジエチレングリコール、モノイソステアリン酸ジエチレングリコール等が挙げられる。これらのうち一種類を使用しても良いし、上記群から選ばれる２種以上を混合して使用しても構わない。このうち、成分（Ａ）Ｎ−長鎖アシル酸性アミノ酸及び／又はその塩及び成分（Ｃ）塩と会合体を形成しやすい点から、モノカプリル酸ジエチレングリコール、モノカプリン酸ジエチレングリコール、モノラウリン酸ジエチレングリコール、モノミリスチン酸ジエチレングリコールが好ましい。脂肪酸は、炭素原子数８〜１８の飽和又は不飽和脂肪酸を使用することができ、本発明の効果を阻害しない程度に置換基を含んでいても構わない。炭素数８以下であると増粘効果が低く、１８以上では溶解性が低く析出しやすい。安定かつ持続的な増粘性能が保持される観点から８〜１４が好ましく、泡立ち性能が保持できる観点から１０〜１２がさらに好ましい。
モノ脂肪酸Ｎ−メチルエタノールアミドとしては、具体的には、モノカプリル酸Ｎ−メチルエタノールアミド、モノカプリン酸Ｎ−メチルエタノールアミド、モノラウリン酸Ｎ−メチルエタノールアミド、モノミリスチン酸Ｎ−メチルエタノールアミド、モノパルミチン酸Ｎ−メチルエタノールアミド、モノステアリン酸Ｎ−メチルエタノールアミド、モノイソステアリン酸Ｎ−メチルエタノールアミド等が挙げられる。これらのうち一種類を使用しても良いし、上記群から選ばれる２種以上を混合して使用しても構わない。このうち、成分（Ａ）Ｎ−長鎖アシル酸性アミノ酸及び／又はその塩及び成分（Ｃ）塩と会合体を形成しやすい点から、モノカプリル酸Ｎ−メチルエタノールアミド、モノカプリン酸Ｎ−メチルエタノールアミド、モノラウリン酸Ｎ−メチルエタノールアミド、モノミリスチン酸Ｎ−メチルエタノールアミドが好ましい。脂肪酸は、炭素原子数８〜１８の飽和又は不飽和脂肪酸を使用することができ、本発明の効果を阻害しない程度に置換基を含んでいても構わない。炭素数８以下であると増粘効果が低く、１８以上では溶解性が低く析出しやすい。安定かつ持続的な増粘性能が保持される観点から８〜１４が好ましく、泡立ち性能が保持できる観点から１０〜１２がさらに好ましい。
ラウリルグリコールヒドロキシプロピルエーテルとしては、具体的には、市販のビスコセーフＬＰＥ（川研ファインケミカル社製）が挙げられる。
ポリオキシプロピレン（１）ヤシ油脂肪酸モノイソプロパノールアミドとしては、具体的には、市販のアミゼット１ＰＣ（川研ファインケミカル社製）が挙げられる。
本発明において使用される（Ｃ）成分である無機塩は、特に制限は無く、硫酸、塩酸、リン酸等の鉱酸又は炭酸とアルカリ金属又はアルカリ土類金属との塩が挙げられる。具体的には、塩化ナトリウム、塩化カリウム、塩化マグネシウム、塩化カルシウム、硫酸ナトリウム、硫酸水素ナトリウム、硫酸カリウム、硫酸水素カリウム、硫酸マグネシウム、硫酸カルシウム、リン酸一ナトリウム、リン酸二ナトリウム、リン酸一カリウム、リン酸二カリウム、炭酸ナトリウム、炭酸水素ナトリウム、炭酸カリウム、炭酸水素カリウム、炭酸マグネシウム、炭酸カルシウム等が挙げられる。これらのうち一種類を使用しても良いし、上記群から選ばれる２種以上を混合して使用しても構わない。特に、増粘効果が高いという観点からアルカリ土類金属塩が好ましく、カルシウム塩又はマグネシウム塩がより好ましく、マグネシウム塩が更に好ましい。
増粘に加え高い透明性が得られるという観点から、カウンターアニオンとしては塩化物イオンが好ましい。具体的な化合物としては、塩化カルシウム又は塩化マグネシウムが殊更好ましく、塩化マグネシウムが特に好ましい。
本発明において使用される（Ｄ）成分である水は、一般に洗浄剤や化粧料に使用される程度の純度であれば、特に限定されない。具体的には、イオン交換水、井戸水、天然水、地下水、市水、硬水、軟水等が使用できる。これらのうち一種類を使用しても良いし、上記群から選ばれる２種以上を混合して使用しても構わない。本発明品の保存安定性や衛生面の観点からイオン交換水が好ましい。
本発明において使用される（Ａ）成分と（Ｂ）成分の重量比は、通常９０：１０〜３０：７０である。（Ｂ）成分が１０より少ないと増粘効果が弱く、（Ｂ）成分が７０より多いと析出しやすくなるという問題がある。（Ａ）成分と（Ｂ）成分による会合体形成をし易く持続性があるという観点で、８５：１５〜３５：６５が好ましく、十分な起泡性と液状組成物を得る観点で、８５：１５〜５０：５０が更に好ましい。
本発明において使用される（Ａ）成分と（Ｃ）成分の重量比は、通常９９．５：０．５〜５０：５０である。（Ｃ）成分が０．５より少ないと増粘効果が低く、５０より多いと析出等を生じるという問題がある。安定かつ持続的な増粘効果が期待できるという観点で、９９：１〜５５：４５が好ましい。
本発明において使用される（Ａ）成分と（Ｂ）成分と（Ｃ）成分の合計重量と（Ｄ）成分との重量比は、通常２：９８〜７０：３０である。（Ａ）成分と（Ｂ）成分と（Ｃ）成分の合計重量が２より少ないと洗浄剤としての泡立ち、泡質などの機能が十分ではなく、また増粘効果も低く、７０より多いと析出等を生じ使用性が悪くなるという問題がある。洗浄剤としての使用性と安定かつ持続的な増粘効果があるという観点で、２．５：９７．５〜５０：５０が好ましい。
増粘組成物中の（Ａ）成分と（Ｄ）成分の重量比は、通常０．５：９９．５〜６８：３２である。洗浄剤としての使用性を得る観点で、１：９９〜４６：５４が好ましく、５：９５〜４０：６０が更に好ましい。（Ａ）成分が０．５より少ないと、十分な洗浄効果や洗浄後の保湿感を得ることができず、（Ａ）成分が６８より多いと使用性が悪くなるという問題がある。
本発明における増粘組成物の製造方法は、所定の割合の成分（Ａ）と成分（Ｂ）及び成分（Ｄ）を混合し、６０〜８０℃の範囲で加熱溶解した後、成分（Ｃ）を更に加えて、均一溶液とする。その後室温まで冷却して増粘組成物を得る。
本発明の増粘組成物の粘度は、通常２００ｍＰａ・ｓ〜５００００ｍＰａ・ｓを呈する。成分（Ａ）、（Ｂ）、（Ｃ）、（Ｄ）比を変えることにより任意に調整することができるが、洗浄料としての使用し易さという観点から、好ましくは、２５０ｍＰａ・ｓ〜４００００ｍＰａ・ｓ、より好ましくは３００ｍＰａ・ｓ〜２５０００ｍＰａ・ｓ、更に好ましくは３５０ｍＰａ・ｓ〜１００００ｍＰａ・ｓである。
本発明の増粘組成物を化粧料及び洗浄料に配合することができ、全化粧料及び洗浄料中の成分（Ａ）は、特に制限はないが、通常０．２〜６０％の範囲を選択することができる。成分（Ａ）が０．２％よりも少ない場合には増粘組成物としての効果が顕著でなくなる傾向があり、６０％よりも多い場合には化粧料や洗浄料としての十分な使用感が損なわれる可能性がある。顕著な増粘効果が発揮されるという観点で、その下限値は０．３％以上が好ましく、０．５％以上がより好ましく、１％以上が更に好ましく、２％以上が殊更好ましく、３％以上が特に好ましい。使用性の良い化粧料や洗浄料を提供できるという観点で、その上限値は５５％以下が好ましく、５０％以下がより好ましく、４５％以下が更に好ましく、４０％以下が殊更好ましく、３５％以下が特に好ましい。
本発明の増粘組成物を配合した化粧料及び洗浄料も通常２００ｍＰａ・ｓ〜５００００ｍＰａ・ｓの良好な粘度を呈するが、化粧料及び洗浄料としての使用し易さという観点から、好ましくは、２５０ｍＰａ・ｓ〜４００００ｍＰａ・ｓ、より好ましくは３００ｍＰａ・ｓ〜２５０００ｍＰａ・ｓ、更に好ましくは３５０ｍＰａ・ｓ〜１００００ｍＰａ・ｓである。
本発明の増粘組成物においては、更に増粘効果を発揮するという観点から、上記本発明の増粘組成物に（Ｅ）多価アルコールを配合した組成物とするのが好ましい。多価アルコールとしては、グリセリン、ジグリセリン、ソルビトール、プロピレングリコール、ジプロピレングリコール、ブチレングリコール、ポリエチレングリコールなどが挙げられる。優れた増粘効果を発揮するという観点で、３価以上の多価アルコールが好ましく、グリセリン、ジグリセリン、ソルビトールがより好ましく、ソルビトールが特に好ましい。
該成分（Ｅ）の多価アルコールは、１種を用いても２種以上を併用しても良い。また、その配合量は特に限定はされないが、組成物全体あたり０．２〜５０重量％が好ましく、より好ましくは１〜２０重量％である。Ｅ成分の配合量が０．２重量％より少ない場合は、十分な増粘効果が得られず、多価アルコール本来の働きである保湿感も十分に得られない。また、５０重量％より多い場合は、組成物の泡立ちの低下や感触の低下を生じてしまう。
また、本発明の増粘組成物においては、更に優れた増粘効果を発揮するという観点から、上記本発明の増粘組成物に（Ｆ）キレート剤を配合した組成物とするのが好ましい。キレート剤としては、エチレンジアミン四酢酸及び／又はその塩（ＥＤＴＡ）、ヒドロキシエチルエチレンジアミン三酢酸及び／又はその塩（ＨＥＤＴＡ）、ジヒドロキシエチルエチレンジアミン二酢酸及び／又はその塩（ＤＨＥＤＴＡ）、１，３−プロパンジアミン四酢酸及び／又はその塩（ＰＤＴＡ）、ジエチレントリアミン五酢酸及び／又はその塩（ＤＴＰＡ）、トリエチレンテトラミン六酢酸及び／又はその塩（ＴＴＨＡ）、ニトリロ三酢酸及び／又はその塩（ＮＴＡ）、ヒドロキシエチルイミノ二酢酸及び／又はその塩（ＨＩＭＤＡ）などが挙げられる。優れた増粘効果を発揮する観点から、特に未中和のものが好ましく、エチレンジアミン四酢酸、エチレンジアミン四酢酸二ナトリウム、ジヒドロキシエチルエチレンジアミン二酢酸、１，３−プロパンジアミン四酢酸、ジエチレントリアミン五酢酸が好ましく、特にエチレンジアミン四酢酸、エチレンジアミン四酢酸二ナトリウムが好ましい。
該成分（Ｆ）のキレート剤は、１種を用いても２種以上を併用しても良い。また、その配合量は特に限定はされないが、組成物全体あたり０．０１〜１．０重量％が好ましく、より好ましくは０．０５〜０．５重量％である。Ｅ成分の配合量が０．０１重量％より少ない場合は、十分な増粘効果が得られず、キレート剤本来の働きであるキレート能も十分に得られない。
本発明の増粘組成物は、上述の必須成分の他に通常の化粧料、医薬部外品等に用いられる各種任意成分を、本発明の効果を阻害しない程度に適宜配合することができる。具体的には、油剤（ツバキ油、トウモロコシ油、オリーブ油、ナタネ油、ヤシ油、パーム油、硬化ヒマシ油、ミツロウ、液状ラノリン、流動パラフィン、スクワレン、ワセリン、ジメチルポリシロキサン等の鎖状ポリシロキサン、オクタメチルシクロテトラシロキサン等の環状ポリシロキサン、アミノ変性シリコーン油など）、界面活性剤（アルキル硫酸塩やアルキルエーテル硫酸エステル塩、脂肪酸塩、スルホコハク酸塩、α−オレフィンスルホン酸塩、Ｎ−アシルサルコシン塩、Ｎ−アシルメチルタウリン塩、アルキルエーテルカルボン酸塩、リン酸エステル塩等のイオン性界面活性剤、イミダゾリン系両性界面活性剤、ベタイン系両性界面活性剤等）、増粘剤（グアーガム、デンプン、カラギーナン、キサンタンガム、エチルセルロース、メチルヒドロキシプロピルデンプン、カルボキシメチルセルロース、カルボキシビニルポリマー、ベントナイト、ヘクトライト、等の高分子増粘剤）、防腐剤、香料、紫外線吸収剤、保湿剤、生理活性成分、酸化防止剤、抗炎症剤、抗菌剤、制汗剤、中和剤、ｐＨ調整剤等の成分であり、洗浄料や化粧料の具体的用途や剤形態に応じて配合することができる。
本発明の増粘組成物の用途は、特に限定されるものではないが、種々の洗浄料及び化粧料を提供することができる。例えば、化粧石鹸、洗顔料（クリーム・ペースト状、液・ジェル状、エアゾール使用など）、シャンプーなどの清浄用化粧品、ヘアトリートメント剤（クリーム状、ミスト状、オイル状、ジェル状その他の形態の物及び枝毛コート剤を含む）、ヘアセット剤（髪油、セットローション、カーラーローション、ポマード、チック、びんつけ油、ヘアスプレー、ヘアミスト、ヘアリキッド、ヘアフォーム、ヘアジェル、ウォーターグリース）などの頭髪用化粧品、一般クリーム・乳液（クレンジングクリーム、コールドクリーム、バニシングクリーム、ハンドクリームなど）、ひげ剃り用クリーム（アフターシェービングクリーム、シェービングクリームなど）、化粧水（ハンドローション、一般化粧水など）、ひげ剃り用ローション（アフターシェービングローション、シェービングローションなど）、化粧油、パックなどの基礎化粧品、ファンデーション（クリーム状、液状など）、アイクリーム・アイシャドウマスカラなどのメークアップ化粧品、一般香水、練り香水、粉末香水などの香水類、日焼け・日焼け止めクリーム、日焼け・日焼け止めローション、日焼け・日焼け止めオイルなどの日焼け・日焼け止め化粧品、爪クリーム・エナメル・エナメル除去液などの爪化粧品、アイライナー化粧品、口紅・リップクリームなどの口唇化粧品、歯磨きなどの口腔化粧品、バスソルト、バスオイルなどの浴用化粧品などが挙げられる。使用感が優れているという観点で、清浄用化粧品、頭髪用化粧品、基礎化粧品としての応用が好ましい。
【実施例】  以下、実施例により本発明を詳細に説明するが、本発明は下記の実施例により限定されるものではない。
［実施例１〜実施例１０］
下記の表１記載の配合組成よりなる増粘組成物及び洗浄剤組成物を調製し、その粘度を下記の方法により評価した。
（粘度の測定）  ２５℃における粘度を、ブルックフィールド型粘度計（ＴＯＫＩＭＣ社製、ＤＶＬ−Ｂ型）を用い、ローターＮｏ．３又はＮｏ．４、回転数３０ｒｐｍで３０秒後の粘度を測定した。
0003922299.tif 000002
0003922299.tif 000003
0003922299.tif 000004
0003922299.tif 000005
表１−１〜４の結果から明らかなように、成分（Ａ）Ｎ−長鎖アシル酸性アミノ酸及び／又はその塩を含有する、本発明の増粘組成物を得るためには、成分（Ｂ）である両親媒性物質、成分（Ｃ）である無機塩、成分（Ｄ）である水が必須成分であり、何れか一成分が欠如しても増粘組成物は得られないことが分かった。さらに、［式１］  （無機性値）≦−５＊（有機性値）＋２５００を満たさない両親媒性物質では、増粘組成物が得られないことが分かった（比較例１１〜１４）。
［実施例１１〜実施例２０］
下記の表２記載の配合組成よりなる洗浄剤組成物に、本発明の増粘組成物を任意の割合で配合し（実施例１１〜実施例２０）、同様に粘度を測定した。
0003922299.tif 000006
0003922299.tif 000007
0003922299.tif 000008
0003922299.tif 000009
表２の結果から明らかなように、ポリオキシエチレンアルキルエーテル硫酸塩（ラウレス硫酸塩）を主成分とする皮膚又は毛髪洗浄料組成物（比較例１５）に（Ａ）成分であるココイルグルタミン酸ナトリウムを配合しようとする場合、配合量の増加に伴い粘度が著しく減少した（比較例１６〜比較例１８）。また、ポリオキシエチレンアルキルエーテル硫酸塩（ラウレス硫酸塩）を主成分とする皮膚又は毛髪洗浄料組成物（比較例１５）に（Ａ）成分であるココイルグルタミン酸ナトリウムと（Ｂ）成分であるモノラウリン酸グリセリルを配合しても、洗浄料組成物として十分な粘度は得られない（比較例１９〜比較例２３）。これに対して、本発明の増粘組成物を配合すると、Ｎ−アシル酸性アミノ酸及び／又はその塩を含有する適度な粘度を有する洗浄料組成物が得られた（実施例１１〜実施例１３）。また、本発明の増粘組成物を配合した洗浄剤組成物（実施例１６）に、多価アルコールやキレート剤を配合することにより、増粘効果を増大させることができる（実施例１７〜実施例２０）。以上より、本発明の増粘組成物の配合量が多い程、高い粘度が得られ、従来の技術では得られなかった、Ｎ−アシル酸性アミノ酸及び／又はその塩をより多く配合する技術が本発明により可能となった。
処方例１〜３
以下に示す処方の液状洗浄料組成物を常法に従って作成したところ、いずれも良好な粘度と使用感を得ることができた。
処方例１  シャンプー組成物
（重量％）
ラウレス硫酸Ｎａ（２７％水溶液）                              ３５．０
コカミドプロピルベタイン（３０％水溶液）                      １５．０
ＰＣＡ−Ｎａ（５０％水溶液）                                    ２．０
ＰＥＧ−７グリセリルココエート                                  ２．０
ポリクオタニウム−１０                                          ０．２
コカミドＭＥＡ                                                  ０．２
クエン酸                                                        適量
ジメチコーン                                                    ０．３
セテアレス−６０ミリスチルグリコール                            ０．４
防腐剤                                                          適量
ココイルグルタミン酸ＴＥＡ（３０％水溶液）                    ２０．０
ラウリン酸グリセリル                                            １．８
塩化Ｍｇ（６水和物）                                            ０．２
グリセリン                                                      ３．０
エデト酸二ナトリウム                                            ０．２
水                                                                残余
計                                                          １００．０
処方例２  シャンプー組成物
（重量％）
ラウレス硫酸Ｎａ（２７％水溶液）                              ３０．０
コカミドプロピルベタイン（３０％水溶液）                      １５．０
ＰＣＡ−Ｎａ（５０％水溶液）                                    ２．０
ＰＥＧ−７グリセリルココエート                                  ２．０
ポリクオタニウム−１０                                          ０．２
コカミドＤＥＡ                                                  ０．２
クエン酸                                                        適量
ジメチコーン                                                    ０．３
セテアレス−６０ミリスチルグリコール                            ０．４
ジステアリン酸グリコール                                        １．０
防腐剤                                                          適量
ココイルグルタミン酸ＴＥＡ（３０％水溶液）                    ２５．０
ラウリン酸グリセリル                                            ２．６
塩化Ｍｇ（６水和物）                                            ０．３
ソルビトール（７０％水溶液）                                    ６．０
エデト酸二ナトリウム                                            ０．２
水                                                                残余
計                                                          １００．０
処方例３  シャワージェル組成物
（重量％）
ラウレス硫酸Ｎａ（２７％水溶液）                              ３５．０
コカミドプロピルベタイン（３０％水溶液）                      １５．０
ＰＣＡ−Ｎａ（５０％水溶液）                                    ２．０
ＰＥＧ−７グリセリルココエート                                  ２．０
ポリクオタニウム−１０                                          ０．２
コカミドＤＥＡ                                                  ０．２
クエン酸                                                        適量
ジメチコーン                                                    ０．３
ラウロイルグルタミン酸ジ（フィトステリル／オクチルドデシル）    ０．２
ジステアリン酸グリコール                                        １．０
防腐剤                                                          適量
ココイルグルタミン酸Ｎａ                                        ５．０
ラウリン酸ブチレングリコール                                    ２．０
塩化Ｍｇ（６水和物）                                            ０．２
ソルビトール（７０％水溶液）                                    ６．０
エデト酸二ナトリウム                                            ０．２
水                                                                残余
計                                                          １００．０
【産業上の利用可能性】  増粘しにくい素材として有名なＮ−長鎖アシル酸性アミノ酸及び／又はその塩に両親媒性物質、無機塩、水を特定の割合で配合することにより、程よい増粘性能と優れた使用感を併せ持たせることが可能となった。この増粘組成物を配合することによって、Ｎ−長鎖アシル酸性アミノ酸及び／又はその塩を含有しながら、増粘性と使用感を保持した皮膚又は毛髪等の洗浄料や化粧料を提供することが可能となった。
本出願は、日本で出願された特願２００４−３７３６５、及び特願２００４−２７１３９４を基礎としておりそれらの内容は本明細書に全て包含されるものである。